【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
拡張可能な空気袋体群と前記袋体群を身体のふくらはぎに固定する手段とを具備したカフであって、前記カフは、カフの使用時に前記ふくらはぎに選択的に圧力が印加されるよう、配置可能であり、第１の袋体と、第２の袋体と、第３の袋体とを備えており、前記第１の袋体の遠位（第１の）端が前記第２の袋体の領域（ＲＡ）からは距離Ｄ１かつ前記第３の袋体の領域（ＲＢ）からは距離Ｄ２のところにあり、前記第３の袋体の前記領域（ＲＢ）が前記第２の袋体の前記領域（ＲＡ）からの距離Ｄ３のところにあり、Ｄ１：Ｄ２の比が１．０：１．１〜１．０：１．４であり、Ｄ１：Ｄ３の比が５．０：１．０〜２．８：１．０である、カフ。
【請求項２】
Ｄ１：Ｄ２の比が１．０：１．３〜１．０：１．２であり、Ｄ１：Ｄ３の比が４．３：１．０〜３．２：１．０である、請求項１に記載のカフ。
【請求項３】
Ｄ１が、前記第２の袋体の中心線と前記第１の袋体の前記遠位（第１の）端との間の距離を測定したものである、請求項１又は請求項２に記載のカフ。
【請求項４】
Ｄ２が、前記第３の袋体の中心線と前記第１の袋体の前記遠位（第１の）端との間の距離を測定したものである、請求項１〜請求項３のうち任意の請求項に記載のカフ。
【請求項５】
Ｄ３が、前記第２の袋体の中心線と前記第３の袋体の中心線との間の距離を測定したものである、請求項１〜請求項４のうち任意の請求項に記載のカフ。
【請求項６】
前記カフが、前記第１の袋体の前記遠位（第１の）端が前記脛骨粗面から距離Ｄ４のところにくるようにふくらはぎに前記カフを位置選定することを容易にするよう、配列された設置手段を備えた、請求項１〜請求項５のうち任意の請求項に記載のカフ。
【請求項７】
前記設置手段が、前記第１の袋体の前記遠位端から距離Ｄ４のところに設置されたマーカを含む、請求項６に記載のカフ。
【請求項８】
Ｄ１：Ｄ４の比が１０．３：１．０〜１１．７：１．０である、請求項５又は請求項６に記載のカフ。
【請求項９】
Ｄ４：Ｄ１の比が１０．７：１．０〜１１．３：１．０であり、Ｄ２：Ｄ４の比が１３．３：１．０〜１４．７：１．０であり、Ｄ３：Ｄ４の比が２．３：１．０〜３．７：１．０である、請求項８に記載のカフ。
【請求項１０】
前記第１の袋体が、使用時に、前記前脛骨静脈の近傍にくるよう、配列可能であり、前記第２の袋体が前記腓骨静脈の近傍にくるよう、配列可能であり、前記第３の袋体が前記後脛骨静脈の近傍にくるよう、配列可能である、請求項１〜請求項９
のうち任意の請求項に記載のカフ。
【請求項１１】
拡張可能な空気袋体と前記袋体を身体のふくらはぎに固定する手段とを具備したカフであって、前記カフが、使用時に、前記ふくらはぎに圧力が印加されるよう、配置可能である、カフ。
【請求項１２】
前記カフが、使用時に、前記前脛骨静脈と前記後脛骨静脈と前記腓骨静脈とから選択された少なくとも１つの位置の近傍の前記ふくらはぎに圧力が印加されるよう、配置可能である、請求項１〜請求項１１のうち任意の請求項に記載のカフ。
【請求項１３】
拡張可能な空気袋体と前記袋体を身体のふくらはぎに固定する手段とを具備したカフであって、前記カフが、使用時に、前記ふくらはぎに選択的に圧力が印加されるよう、配置可能であり、使用時に前記袋体が正確に設置されるように前記脚の特徴に沿って設置する為のマーカを持つ設置手段を備えている、カフ。
【請求項１４】
拡張可能な空気袋体と前記袋体を身体のふくらはぎに固定する手段とを具備したカフであって、前記カフが、使用時に、前記ふくらはぎに選択的に圧力が印加されるよう、配置可能であり、使用時に前記前脛骨静脈の近傍にくるよう、配置可能な袋体と、前記袋体が正確に設置されるように、使用時に前記脛骨粗面に沿って位置付ける為のマーカを持つ設置手段とを備えた、カフ。
【請求項１５】
拡張可能な空気袋体と前記袋体を身体のふくらはぎに固定する手段とを具備したカフであって、前記カフが実質的には伸びない外側の層を持っており、それによって、前記袋体の膨張により前記袋体が前記ふくらはぎに向かって内側に広がり、前記袋体が、前記前脛骨静脈と、前記腓骨静脈と、前記後脛骨静脈とから選択された少なくとも１つの位置の近傍の膨張に選択的に圧力を供給するよう前記ふくらはぎに位置付ける為に形作られており、前記袋体の長さが、垂直の状態の脚の前記脛骨粗面の水平レベルを通る線の下から前記線と内果の上縁との中間までの距離に少なくとも部分的に及ぶことができ、前記袋体が、膨張及び収縮の為に自身のコネクタ又は柔軟なパイプを有している、カフ。
【請求項１６】
袋体を１つ備えている、請求項１５に記載のカフ。
【請求項１７】
袋体を２つ備えている、請求項１５に記載のカフ。
【請求項１８】
袋体を３つ備えている、請求項１５に記載のカフ。
【請求項１９】
少なくとも１つの袋体がＪ字形である、請求項１５〜請求項１８のうち１項に記載のカフ。
【請求項２０】
前記袋体群が管により結ばれている、請求項１７又は請求項１８のうち１項に記載のカフ。
【請求項２１】
前記袋体群が膨張不能な連結部品によりつながれており、各袋体が膨張及び収縮の為に自身のコネクタ又は柔軟なパイプを有している、請求項１７又は請求項１８のうち１項に記載のカフ。
【請求項２２】
靴下の形の請求項１５〜請求項２１のうち１項に記載のカフ。
【請求項２３】
前記靴下の裏面に、前記靴下を伸ばすシームがある、請求項２２に記載のカフ。
【請求項２４】
前記カフが、自己締付け具によって前記脚に固定される、請求項１５〜請求項２１のうち１項に記載のカフ。
【請求項２５】
前記カフが、バックルを装備したストラップによって前記脚に固定される、請求項１５〜請求項２１のうち１項に記載のカフ。
【請求項２６】
前記袋体（単数又は複数）が前記カフに縫うことによって取り付けられた、請求項１５〜請求項２５のいずれかに記載のカフ。
【請求項２７】
前記袋体の長さが、垂直の状態の脚の前記脛骨粗面の水平レベルを通る線の下から前記線と内果の上縁との中間までの距離全体に及ぶことができる、請求項１５〜請求項２６のいずれか１項に記載のカフ。
【請求項２８】
請求項１５〜請求項２７のいずれか１項に記載のカフと、前記カフにガスを周期的に供給でき前記空気を前記袋体から解放できるポンプユニットとを、任意の必要な関連するコネクタ及び電源と共に備えたキット。
【請求項２９】
使用時に、前記ふくらはぎに選択的に圧力が印加されるよう、配置可能なカフを形成するカフアセンブリであって、前記アセンブリが、第１の拡張可能な空気袋体を備えた第１のカフ部と、第２の拡張可能な空気袋体及び第３の拡張可能な空気袋体のうちの少なくとも一方を備えた第２のカフ部と、カフを形成し前記袋体群を身体のふくらはぎに固定する為に前記カフ部群を互いに固定する為の手段とを備えた、カフアセンブリ。
【請求項３０】
前記アセンブリが、請求項１〜請求項１４のいずれかに記載のカフを作り出すよう、配列された、請求項２９に記載のカフアセンブリ。
【請求項３１】
請求項１〜請求項１４のいずれかに記載のカフ及び／又は請求項２９又は請求項３０に記載のカフアセンブリと、前記カフ及び前記カフアセンブリのうちの少なくとも一方にガスを周期的に供給（カフを作るよう組み立てられた場合）し前記空気を前記袋体から解放するポンプユニットとを、任意の必要な関連するコネクタ及び電源と共に備えたキット。